(57)【要約】【課題】空気調和機の設置に関するコスト低減を図ること。【解決手段】圧縮機１、熱源側熱交換器２及び第一減圧装置３が直列に接続された熱源側冷媒回路と、第二減圧装置５及び利用側熱交換器６が直列に接続された利用側冷媒回路と、熱源側冷媒回路から利用側冷媒回路への高圧部４Ａと、利用側冷媒回路から熱源側冷媒回路への低圧部４Ｂとの冷媒間で熱交換を行う冷媒熱交換器４と、圧縮機１の回転数検出器１Ａと、圧縮機１の吸入側及び吐出側の冷媒圧力を検出する圧力センサ８，７と、低圧部４Ｂの冷媒熱交換器４の入力側及び出力側の冷媒の温度を検出する温度センサ１０，１１と、回転数検出器１Ａ、各圧力センサ７，８及び各温度センサ１０，１１の検出値と冷媒熱交換器４の仕様とを基に、高圧部４Ａを流れる冷媒の飽和温度を算出し、該飽和温度から第一減圧装置３の減圧側冷媒圧力を決定する演算部１３と、を備えた空気調和機。【選択図】図２
2007101069.tif 000002
【特許請求の範囲】
【請求項１】
圧縮機、熱源側熱交換器及び第一減圧装置が直列に接続された熱源側冷媒回路と、
第二減圧装置及び利用側熱交換器が直列に接続された利用側冷媒回路と、
前記熱源側冷媒回路から前記利用側冷媒回路への高圧部と、前記利用側冷媒回路から前記熱源側冷媒回路への低圧部との冷媒間で熱交換を行う冷媒熱交換器と、
前記圧縮機の回転数検出装置と、前記圧縮機の吸入側及び吐出側の冷媒圧力を検出する圧力検出装置と、前記低圧部の前記冷媒熱交換器の入力側及び出力側の冷媒の温度を検出する温度検出装置と、
前記回転数検出装置、前記各圧力検出装置及び前記各温度検出装置の検出値と、前記冷媒熱交換器の仕様とを基に、前記高圧部を流れる冷媒の飽和温度を算出し、該飽和温度から前記第一減圧装置の減圧側の冷媒圧力を決定する演算手段と、
を備えたことを特徴とする空気調和機。
【請求項２】
圧縮機、熱源側熱交換器及び第一減圧装置が直列に接続された熱源側冷媒回路と、
第二減圧装置及び利用側熱交換器が直列に接続された利用側冷媒回路と、
前記熱源側冷媒回路から前記利用側冷媒回路への高圧部と、前記利用側冷媒回路から前記熱源側冷媒回路への低圧部との冷媒間で熱交換を行う冷媒熱交換器と、
前記圧縮機の回転数検出装置と、前記圧縮機の吸入側の冷媒圧力を検出する圧力検出装置及び前記第一減圧装置の減圧側の冷媒圧力を検出する圧力検出装置と、前記低圧部の前記冷媒熱交換器の入力側及び出力側の冷媒の温度を検出する温度検出装置と、
前記圧縮機の吐出側冷媒圧力の仮定値と、前記回転数検出装置、前記各圧力検出装置及び前記各温度検出装置の検出値と、前記冷媒熱交換器の仕様とを基に、前記圧縮機の吐出側の冷媒圧力を決定する演算手段と、
を備えたことを特徴とする空気調和機。
【請求項３】
圧縮機、熱源側熱交換器及び第一減圧装置が直列に接続された熱源側冷媒回路と、
第二減圧装置及び利用側熱交換器が直列に接続された利用側冷媒回路と、
前記熱源側冷媒回路から前記利用側冷媒回路への高圧部と、前記利用側冷媒回路から前記熱源側冷媒回路への低圧部との冷媒間で熱交換を行う冷媒熱交換器と、
前記圧縮機の回転数検出装置と、前記圧縮機の吐出側の冷媒圧力を検出する圧力検出装置及び前記第一減圧装置の減圧側の冷媒圧力を検出する圧力検出装置と、前記低圧部の前記冷媒熱交換器の入力側及び出力側の冷媒の温度を検出する温度検出装置と、
前記圧縮機の吸入側冷媒圧力の仮定値と、前記回転数検出装置、前記各圧力検出装置及び前記各温度検出装置の検出値と、前記冷媒熱交換器の仕様とを基に、前記圧縮機の吸入側の冷媒圧力を決定する演算手段と、
を備えたことを特徴とする空気調和機。
【請求項４】
圧縮機、熱源側熱交換器及び第一減圧装置が直列に接続された熱源側冷媒回路と、
第二減圧装置及び利用側熱交換器が直列に接続された利用側冷媒回路と、
前記熱源側冷媒回路から前記利用側冷媒回路への高圧部と、前記利用側冷媒回路から前記熱源側冷媒回路への低圧部との冷媒間で熱交換を行う冷媒熱交換器と、
前記圧縮機の回転数検出装置と、前記圧縮機の吸入側と吐出側及び前記第一減圧装置の減圧側の冷媒圧力を検出する圧力検出装置と、前記低圧部の前記冷媒熱交換器の入出力側の一方側の冷媒温度を検出する温度検出装置と、
前記低圧部の前記冷媒熱交換器の入出力側の他方側の冷媒温度の仮定値と、前記回転数検出装置、前記各圧力検出装置及び前記温度検出装置の検出値と、前記冷媒熱交換器の仕様とを基に、前記低圧部の前記冷媒熱交換器の他方側の冷媒温度を決定する演算手段と、  を備えたことを特徴とする空気調和機。
【請求項５】
前記演算手段は、前記冷媒熱交換器の低圧部を流れる冷媒が受け取る熱取得量と前記冷媒熱交換器の前記高圧部から前記低圧部への伝熱量とを算出または規定し、それらの熱取得量と伝熱量とが等しいことを利用したものである、ことを特徴とする請求項１ないし４のいずれかに記載の空気調和機。
【発明の詳細な説明】
【技術分野】
【０００１】
この発明は空気調和機に係り、特に空気調和機を構成する冷媒回路中に設けられる冷媒圧力検出装置又は温度検出装置の削減に関するものである。
【背景技術】
【０００２】
空気調和機において、それを構成する冷媒回路に高圧測定用圧力計と低圧測定用圧力計を設け、それらの圧力測定値に基づいて冷媒充填量を調整するものがある（例えば、特許文献１）。また、使用する冷媒が高圧である場合には、冷媒回路に中間圧生成部を設け、その中間圧を測定する中間圧測定用圧力計を設けて管理や制御をすることがある。
例えば、ビルなどの空調システムにおいて、ビル内外の空気調和機のリプレース時に、冷媒回路の既設配管を利用することが行われている。リプレースされた空気調和機は、通常、新冷媒を用いているが新冷媒は旧冷媒と比較して圧力が高圧化する傾向がある。この高圧化に対処するため、既設配管の耐圧を守るべく圧縮機の回転数を抑制する方法もあるが、この方法だと空気調和機として能力が低下してしまう。このような場合、空気調和機の性能を発揮させることと現地の既設配管をそのまま流用することを両立するため、減圧して運転する方法がしられている。そしてこの運転をスムーズに行うために、高圧測定用圧力計と低圧測定用圧力計に加えて、中間圧力生成用の減圧機構とそれにより生じた中間圧力を検知するための手段を設けることが行われている。
【０００３】
【特許文献１】特開２００１−７４３４２号公報（図１、図２など）
【発明の開示】
【発明が解決しようとする課題】
【０００４】
しかしながら、上記の圧力検出装置や温度検出装置をそれぞれの測定箇所に設けるとすると、部品点数の増加に加えて、その分の設置作業及び管理維持なども必要となり、空気調和機の設置に関してのコストアップの一因となる。
この発明は上記課題に鑑みて為されたもので、空気調和機を構成する冷媒回路で求めようとする高、中、低の３つの圧力値のうち、２つの圧力値を実測し、残りの１つを理論上から決定するようにして、空気調和機を構成する部品の調達、設置および管理に伴う費用を削減し、空気調和機の設置に関するコスト低減を図ることを目的とする。
また、空気調和機を構成する冷媒回路で求めようとする上記３つの圧力値を実測する構成の場合には、空気調和機を構成する冷媒回路で求めようとする複数の温度の１つを、理論上から決定するようにして、空気調和機を構成する部品の調達、設置および管理に伴う費用を削減し、空気調和機の設置に関するコスト低減を図ることを目的とする。
【課題を解決するための手段】
【０００５】
この発明の空気調和機は、圧縮機、熱源側熱交換器及び第一減圧装置が直列に接続された熱源側冷媒回路と、第二減圧装置及び利用側熱交換器が直列に接続された利用側冷媒回路と、前記熱源側冷媒回路から前記利用側冷媒回路への高圧部と前記利用側冷媒回路から前記熱源側冷媒回路への低圧部との冷媒間で熱交換を行う冷媒熱交換器と、前記圧縮機の回転数、前記圧縮機の吸入側の冷媒圧力、前記圧縮機の吐出側の冷媒圧力及び前記第一減圧装置の減圧側の冷媒圧力の３つのうちの実測による２つの冷媒圧力と、前記低圧部の前記冷媒熱交換器の入力側及び出力側の冷媒温度と、前記冷媒熱交換器の仕様とを基に、前記冷媒熱交換器の低圧部を流れる冷媒が受け取る熱取得量と前記冷媒熱交換器の前記高圧部から前記低圧部への伝熱量とを算出または規定し、それらの熱取得量と伝熱量とが等しいことを利用して、前記３つの冷媒圧力のうちの残りの１つの冷媒圧力を算出する演算手段と、を備えたものである。
【発明の効果】
【０００６】
この発明の空気調和機によれば、圧縮機の吸入側の圧力（低圧圧力）、圧縮機の吐出側の圧力（高圧圧力）、第一減圧装置の減圧側の圧力（中間圧力）の３つの圧力値のうち、１つの圧力値が演算によって得られるため、冷媒回路に配置する圧力検出装置を１つ削減することができ、空気調和機の簡素化、低コスト化に寄与できる。
【発明を実施するための最良の形態】
【０００７】
図１は本発明の原理を説明する空気調和機の全体構成図である。ここで空気調和機は、圧縮機１、熱源側熱交換器２、及び第一減圧装置（又は中間圧力生成用減圧機構）３が直列に繋がった熱源側冷媒回路と、第二減圧装置５及び利用側熱交換器６が直列に繋がった利用側冷媒回路とを有する。熱源側冷媒回路と利用側冷媒回路とは、冷媒熱交換器であるプレート熱交換器４の高圧配管（又は高圧部）４Ａと低圧配管（又は低圧部）４Ｂを介して繋がっている。
また、圧縮機１の吐出側には吐出側圧力センサ７、圧縮機１の吸入側には吸入側圧力センサ８、第一減圧装置３の減圧側には中間圧力センサ９を、それぞれの部分の冷媒圧力検出装置として備えている。なお、符号１Ａは圧縮機１の回転数を検出する回転数検出器である。
さらに、利用側熱交換器６の出力側、低圧部４Ｂのプレート熱交換器４の出力側、及び高圧部４Ａのプレート熱交換器４の出力側に、それぞれの部分の冷媒温度を検出する温度検出装置として、第一温度センサ１０、第二温度センサ１１、第三温度センサ１２を備えている。
【０００８】
高圧部４Ａと低圧部４Ｂとの冷媒間で熱交換を行う構成を有している上記のような空気調和機の場合、冷媒熱交換器（ここではプレート熱交換器４）の低圧部４Ｂを流れる冷媒が受け取る熱取得量と、冷媒熱交換器の高圧部４Ａから低圧部４Ｂへの伝熱量とが等しいことを利用して、圧縮機１の吐出側圧力、圧縮機１の吸入側圧力、第一減圧装置３の減圧側圧力、低圧部４Ｂの冷媒熱交換器の出力側冷媒温度又は低圧部４Ｂの冷媒熱交換器の入力側冷媒温度のいずれかを理論的に算出することができる。この発明は、その原理を応用したものである。
【０００９】
実施の形態１（中間圧力値の算出の例）
図２は本発明の実施の形態１に係る空気調和機の全体構成図である。ここでは、図１の構成から中間圧力センサ９をなくし、中間圧力センサ９で実測して得ていた第一減圧装置３の減圧側の圧力（中間圧力）の値を、演算手段としての演算部１３により算出するようにしたものである。なお、演算部１３は、ＣＰＵおよびＣＰＵによって動かされる演算プログラムを備えたメモリなどから、あるいはマイクロコンピュータなどからなる。これにより、実測に必要な圧力計を１つ減らすことができるため、その圧力計の調達、設置、管理などが不要となり、空気調和機の設置コストが削減できる。
【００１０】
図３は演算部１３による図２の空気調和機の第一減圧装置３の減圧側の圧力を算出する手順の一例を示すフローチャートである。この図３に沿って演算部１３の第１の作用を説明する。
まずＳ１で、吸入側圧力センサ７、吐出側圧力センサ８、回転数検出器１Ａにより、圧縮機１の前後の吐出側圧力（高圧圧力）Ｐ１及び吸入側圧力（低圧圧力）Ｐ２と、圧縮機１の回転数Ｎを検出して取り込む。
Ｓ２では、Ｓ１で検出した各値Ｐ１，Ｐ２，Ｎと、圧縮機１の機器特性から、圧縮機１から吐出される冷媒流量（Ｇｒｃ）を求める。これらの各値は、例えば図１０に示すように、圧縮機１の回転数Ｎに応じた曲線Ｐ１が、”Ｇｒｃ”と”Ｐ２”とに関係づけられるため、その関係を利用して冷媒流量（Ｇｒｃ）を得ることができる。
【００１１】
Ｓ３では、吸入側圧力Ｐ２と第一温度センサ１０の検出温度ｔ１とから、プレート熱交換器４に流入する冷媒エンタルピＩｉｎを求めるとともに、吸入側圧力Ｐ２と第二温度センサ１１の検出温度ｔ２とから、プレート熱交換器４から流出する冷媒エンタルピＩｏｕｔを求める。圧力Ｐ、温度ＴおよびエンタルピＩは冷媒種により、図１１に示すようなモリエル線図で表すことができるので、圧力Ｐ、温度ＴからエンタルピＩを求めることができる。
【００１２】
Ｓ４では、Ｓ２で求めたＧｒｃとＳ３で求めたＩｉｎ、Ｉｏｕｔを用いて、プレート熱交換器４の低圧部４Ｂを流れる冷媒が受ける伝熱量Ｈｐを算出する。
Ｈｐ＝Ｇｒｃ×（Ｉｏｕｔ−Ｉｉｎ）                          （式１）
Ｓ５では、プレート熱交換器４の伝熱面積Ａｐを求める。プレート熱交換器４の伝熱面積Ａｐは、高圧冷媒部と低圧冷媒部の接触面積Ａｎと、プレートの枚数Ｎｐから求まる。  Ａｐ＝Ａｎ×Ｎｐ                                            （式２）
【００１３】
Ｓ６では、プレート熱交換器４の高圧部４Ａを流れる冷媒流量、低圧部４Ｂを流れる冷媒流量、及びそこに使用されている配管径と配管材質から、高圧部４Ａから低圧部４Ｂに伝熱するときの熱通過率Ｋｐを求める。なお、熱通過率Ｋｐは高圧部４Ａと低圧部４Ｂの冷媒流量（Ｇｒｐ）の関数で表すことができる。
Ｋｐ＝Ｆ（Ｇｒｐ）                                         （式３）
Ｓ７では、吸入側圧力Ｐ２から飽和温度Ｔｅを求める。冷媒の圧力Ｐ−飽和温度Ｔの関係曲線は冷媒種によって異なり、例えば図１２のようになるので、それを利用してＴｅを求めることができる。
【００１４】
Ｓ８では、高圧側飽和温度をＴｍとし、先に求めたプレート熱交換器４の伝熱面積Ａｐ、熱通過率Ｋｐ、飽和温度Ｔｅを基に、プレート熱交換器４の高圧部４Ａから低圧部４Ｂへの伝熱量Ｑｐを以下のように規定する。
Ｑｐ＝Ａｐ×Ｋｐ×（Ｔｍ−Ｔｅ）                            （式４）
【００１５】
Ｓ９では、Ｓ４で求めたＨｐと、Ｓ８で定義したＱｐとが等しいことを利用して、プレート熱交換器４の高圧部４Ａを流れる冷媒の温度Ｔｍを求める。
Ｈｐ＝Ｑｐ、すなわち
Ｇｒｃ×（Ｉｏｕｔ−Ｉｉｎ）＝Ａｐ×Ｋｐ×（Ｔｍ−Ｔｅ）、従って
Ｔｍ＝Ｇｒｃ／（Ａｐ×Ｋｐ）×（Ｉｏｕｔ−Ｉｉｎ）＋Ｔｅ    （式５）
【００１６】
最後にＳ１０で、Ｓ９で求めた冷媒温度Ｔｍから飽和圧力Ｐｍを換算して求める。冷媒の圧力Ｐ−飽和温度Ｔの関係曲線は冷媒種によって異なり、例えば図１２のようになるので、それを利用してＰｍを求めることができる。この飽和圧力Ｐｍが中間圧力に他ならない。以上により中間圧力値が理論的に算出される。
【００１７】
実施の形態２（高圧圧力値の算出の例）
図４は本発明の実施の形態２に係る空気調和機の全体構成図である。ここでは、図１の構成から吐出側圧力センサ７をなくし、吐出側圧力センサ７で実測して得ていた圧縮機１の吐出側圧力（高圧圧力）の値を、演算手段としての演算部１３により算出するようにしたものである。これにより、実測に必要な圧力計を１つ減らすことができるため、その圧力計の調達、設置、管理などが不要となり、空気調和機の設置コストが削減できる。
【００１８】
図５は演算部１３による図４の空気調和機の圧縮機１の吐出側圧力を算出する手順の一例を示すフローチャートである。この図５に沿って演算部１３の第２の作用を説明する。  まずＳ１１で、圧縮機１の吐出側圧力（高圧圧力）の値Ｐ１を仮定する。
Ｓ１２では、吸入側圧力センサ８、中間圧力センサ９、回転数検出器１Ａにより、圧縮機１の吸入側力（低圧圧力）Ｐ２、第一減圧装置３の減圧側圧力（中間圧力）Ｐｍ、及び圧縮機１の回転数Ｎを検出して取り込む。また、これらの測定値の保持領域に、先に仮定した圧縮機１の吐出側圧力の仮定値Ｐ１も取り込む。
Ｓ１３では、上記の各値Ｐ１，Ｐ２，Ｎと、圧縮機１の機器特性から、圧縮機１から吐出される冷媒流量（Ｇｒｃ）を求める。
Ｓ１４では、吸入側圧力Ｐ２と第一温度センサ１０の値ｔ１とから、プレート熱交換器４に流入する冷媒エンタルピＩｉｎを求めるともに、吸入側圧力Ｐ２と第二温度センサ１１の値ｔ２とから、プレート熱交換器４から流出する冷媒エンタルピＩｏｕｔを求める。  Ｓ１５では、Ｓ１３で求めたＧｒｃとＳ１４で求めたＩｉｎ、Ｉｏｕｔを用いて、プレート熱交換器４の低圧部４Ｂを流れる冷媒が受ける伝熱量Ｈｐを算出する（式１）。
Ｓ１６では、プレート熱交換器４の伝熱面積Ａｐを求める（式２）。
Ｓ１７では、プレート熱交換器４の高圧部４Ａを流れる冷媒流量、低圧部４Ｂを流れる冷媒流量、及びそこに使用されている配管径と配管材質から、高圧部４Ａから低圧部４Ｂに伝熱するときの熱通過率Ｋｐを求める（式３）。
Ｓ１８では、吸入側圧力センサ８の検出値Ｐ２から飽和温度Ｔｅを求め、中間圧力センサ９の検出値Ｐｍから飽和温度Ｔｍを求める。
Ｓ１９では、先に求めたプレート熱交換器４の伝熱面積Ａｐ、熱通過率Ｋｐ、飽和温度Ｔｅ及びＴｍとを基に、プレート熱交換器４の高圧部４Ａから低圧部４Ｂへの伝熱量Ｑｐを算出する（式４）。
Ｓ２０では、Ｓ１５で求めたＨｐと、Ｓ１９で算出したＱｐとが等しいか否か判断する。ここで、ＨｐとＱｐとが等しくない場合には、Ｓ２１で、圧縮機１の吐出側圧力値Ｐ１の再仮定を行い、Ｓ１２に戻る。これに対して、ＨｐとＱｐとが等しい場合には、Ｓ２２で、Ｈｐ算出の基礎とした仮定値Ｐ１を、圧縮機１の吐出側圧力値として決定する。
以上により高圧圧力値が理論的に算出される。
【００１９】
実施の形態３（低圧圧力値の算出の例）
図６は本発明の実施の形態３に係る空気調和機の全体構成図である。ここでは、図１の構成から吸入側圧力センサ８をなくし、吸入側圧力センサ８で実測して得ていた圧縮機１の吸入側圧力（低圧圧力）の値を、演算手段としての演算部１３により算出するようにしたものである。これにより、実測に必要な圧力計を１つ減らすことができるため、その圧力計の調達、設置、管理などが不要となり、空気調和機の設置コストが削減できる。
【００２０】
図７は演算部１３による図６の空気調和機の圧縮機１の吸入側圧力を算出する手順の一例を示すフローチャートである。この図７に沿って演算部１３の第３の作用を説明する。  まずＳ３１で、圧縮機１の吸入側圧力（低圧圧力）の値Ｐ２を仮定する。
Ｓ３２では、吐出側圧力センサ７、中間圧力センサ９、回転数検出器１Ａにより、圧縮機１の吐出側力（高圧圧力）Ｐ１、第一減圧装置３の減圧側圧力（中間圧力）Ｐｍ、及び圧縮機１の回転数Ｎを検出して取り込む。また、これらの測定値の保持領域に、先に仮定した圧縮機１の吸入側圧力の仮定値Ｐ２も取り込む。
Ｓ３３では、上記の各値Ｐ１，Ｐ２，Ｎと、圧縮機１の機器特性から、圧縮機１から吐出される冷媒流量（Ｇｒｃ）を求める。
Ｓ３４では、吸入側圧力Ｐ２と第一温度センサ１０の値ｔ１とから、プレート熱交換器４に流入する冷媒エンタルピＩｉｎを求めるとともに、吸入側圧力Ｐ２と第二温度センサ１１の値ｔ２とから、プレート熱交換器４から流出する冷媒エンタルピＩｏｕｔを求める。
Ｓ３５では、Ｓ３３で求めたＧｒｃとＳ３４で求めたＩｉｎ、Ｉｏｕｔを用いて、プレート熱交換器４の低圧部４Ｂを流れる冷媒が受ける伝熱量Ｈｐを算出する（式１）。
Ｓ３６では、プレート熱交換器４の伝熱面積Ａｐを求める（式２）。
Ｓ３７では、プレート熱交換器４の高圧部４Ａを流れる冷媒流量、低圧部４Ｂを流れる冷媒流量、及びそこに使用されている配管径と配管材質から、高圧部４Ａから低圧部４Ｂに伝熱するときの熱通過率Ｋｐを求める（式３）。
Ｓ３８では、吸入側圧力Ｐ２から飽和温度Ｔｅを求め、中間圧力ンサ９の検出値Ｐｍから飽和温度Ｔｍを求める。
Ｓ３９では、先に求めたプレート熱交換器４の伝熱面積Ａｐ、熱通過率Ｋｐ、飽和温度Ｔｅ及びＴｍとを基に、プレート熱交換器４の高圧部４Ａから低圧部４Ｂへの伝熱量Ｑｐを算出する（式４）。
Ｓ４０では、Ｓ３５で求めたＨｐと、Ｓ３９で求めたＱｐとが等しいか否か判断する。ここで、ＨｐとＱｐとが等しくない場合には、Ｓ４１で、圧縮機１の吸入側圧力値Ｐ２の再仮定を行い、Ｓ３２に戻る。これに対して、ＨｐとＱｐとが等しい場合には、Ｓ４２で、Ｈｐ算出の基礎とした仮定値Ｐ２を、圧縮機１の吸入側圧力値として決定する。
以上により低圧圧力値が理論的に算出される。
【００２１】
実施の形態４（冷媒温度算出の例）
図８は本発明の実施の形態４に係る空気調和機の全体構成図である。ここでは、図１の構成から第二温度センサ１１をなくし、第二温度センサ１１で実測して得ていた冷媒温度の値を、演算手段としての演算部１３により算出するようにしたものである。これにより、実測に必要な温度計を１つ減らすことができるため、その温度計の調達、設置、管理などが不要となり、空気調和機の設置コストが削減できる。
【００２２】
図９は演算部１３による図８の空気調和機の圧縮機１の吸入側の冷媒温度を算出する手順の一例を示すフローチャートである。この図９に沿って演算部１３の第４の作用を説明する。
まずＳ５１で、圧縮機１の吸入側の冷媒温度ｔ２を仮定する。
Ｓ５２では、吐出側圧力センサ７、吸入側圧力センサ８、中間圧力センサ９、回転数検出器１Ａにより、圧縮機１の吐出側圧力（高圧圧力）Ｐ１、圧縮機１の吸入側圧力（低圧圧力）Ｐ２、第一減圧装置３の減圧側圧力（中間圧力）Ｐｍ、及び圧縮機１の回転数Ｎを検出して取り込む。
Ｓ５３では、上記の各値Ｐ１，Ｐ２，Ｎと、圧縮機１の機器特性から、圧縮機１から吐出される冷媒流量（Ｇｒｃ）を求める。
Ｓ５４では、吸入側圧力Ｐ２と第一温度センサ１０の測定値ｔ１とから、プレート熱交換器４に流入する冷媒エンタルピＩｉｎを求めるとともに、吸入側圧力Ｐ２と先に仮定した圧縮機１の吸入側の冷媒温度ｔ２とから、プレート熱交換器４から流出する冷媒エンタルピＩｏｕｔを求める。
Ｓ５５では、Ｓ５３で求めたＧｒｃとＳ５４で求めたＩｉｎ、Ｉｏｕｔを用いて、プレート熱交換器４の低圧部４Ｂを流れる冷媒が受ける伝熱量Ｈｐを算出する（式１）。
Ｓ５６では、プレート熱交換器４の伝熱面積Ａｐを求める（式２）。
Ｓ５７では、プレート熱交換器４の高圧部４Ａを流れる冷媒流量、低圧部４Ｂを流れる冷媒流量、及びそこに使用されている配管径と配管材質から、高圧部４Ａから低圧部４Ｂに伝熱するときの熱通過率Ｋｐを求める（式３）。
Ｓ５８では、吸入側圧力Ｐ２から飽和温度Ｔｅを求め、中間圧力センサ９の検出値Ｐｍから飽和温度Ｔｍを求める。
Ｓ５９では、先に求めたプレート熱交換器４の伝熱面積Ａｐ、熱通過率Ｋｐ、飽和温度Ｔｅ及びＴｍとを基に、プレート熱交換器４の高圧部４Ａから低圧部４Ｂへの伝熱量Ｑｐを算出する（式４）。
Ｓ６０では、Ｓ５５で求めたＨｐと、Ｓ５９で求めたＱｐとが等しいか否か判断する。ここで、ＨｐとＱｐとが等しくない場合には、Ｓ５１で、圧縮機１の吸入側の冷媒温度ｔ２の再仮定を行い、Ｓ５２に戻る。これに対してＨｐとＱｐとが等しい場合には、Ｓ６２で、Ｈｐ算出の基礎とした仮定値ｔ２を、圧縮機１の吸入側の冷媒温度として決定する。  以上により、理論的に圧縮機１の吸入側の冷媒温度が算出される。
【００２３】
また、第一温度センサ１０をなくし、第二温度センサ１１を配置した場合にも、上記の温度算出方法に準じて、第一温度センサ１０で実測して得ていた温度の値を、演算手段としての演算部１３により算出させることができる。
【００２４】
なお、上記各実施の形態では、冷熱媒交換器として、プレート熱交換器４を備えた例を示したが、それに代えて二重管熱交換器を用いた構成としてもよい。
また、上記実施の形態では、演算部１３が実施の形態１〜４のそれぞれに対応する第１〜第４の作用を果たす演算手段を全て備えるものとして説明したが、演算部１３は各実施の形態に対応した１つの作用を果たす演算手段だけを備えるものとしてもよい。
【図面の簡単な説明】
【００２５】
【図１】本発明の原理を説明するための空気調和機の全体構成図。
【図２】実施形態１の空気調和機の全体構成図。
【図３】中間圧力値を算出する例を示したフローチャート。
【図４】実施形態２の空気調和機の全体構成図。
【図５】高圧圧力値を算出する例を示したフローチャート。
【図６】実施形態３の空気調和機の全体構成図。
【図７】低圧圧力値を算出する例を示したフローチャート。
【図８】実施形態４の空気調和機の全体構成図。
【図９】冷媒温度を算出する例を示したフローチャート。
【図１０】冷媒流量、圧力、圧縮機回転数の関係を示す例示図。
【図１１】圧力、温度、エンタルピの関係を示す例示図。
【図１２】飽和温度と圧力の関係を示す例示図。
【符号の説明】
【００２６】
１  圧縮機、１Ａ  圧縮機の回転数検出器、２  熱源側熱交換器、３  第一減圧装置、４  プレート熱交換器、４Ａ  プレート熱交換器の高圧配管（高圧部）、４Ｂ  プレート熱交換器の低圧配管（低圧部）、５  第二減圧装置、６  利用側熱交換器、７  圧縮機の吐出側圧力センサ、８  圧縮機の吸入側圧力センサ、９  中間圧力センサ、１０  第一温度センサ、１１  第二温度センサ、１２  第三温度センサ、１３  演算部。
【図１】
2007101069.tif 000003
【図２】
2007101069.tif 000004
【図３】
2007101069.tif 000005
【図４】
2007101069.tif 000006
【図５】
2007101069.tif 000007
【図６】
2007101069.tif 000008
【図７】
2007101069.tif 000009
【図８】
2007101069.tif 000010
【図９】
2007101069.tif 000011
【図１０】
2007101069.tif 000012
【図１１】
2007101069.tif 000013
【図１２】
2007101069.tif 000014